(57)【要約】【課題】包装袋において、開封後の簡易的な再封、開封を容易かつ安定的に、また繰り返し行うことが可能な、折込み保持パーツ付き包装袋を安価に提供することを課題とする。【解決手段】包装袋において、包装袋は、上部、胴部、底部、から構成され、その上部は、包装袋を開封して開口部を設けることができ、その胴部表面には、開口部を折り込んで挟み込み、保持可能な、プラスチックパーツを有していることを特徴とする、折込み保持パーツ付き包装袋である。【選択図】図１
2020045139.tif 000002
【特許請求の範囲】
【請求項１】
包装袋において、
包装袋は、上部、胴部、底部、から構成され、
上部は、包装袋を開封して開口部を設けることができ、
胴部表面には、開口部を折り込んで挟み込み、及び保持可能な、プラスチックパーツを有していることを特徴とする、折込み保持パーツ付き包装袋。
【請求項２】
前記包装袋の開口部の折込みの挟み込み、及び保持は、プラスチックパーツの一部と、包装袋胴部の間で挟み込んで保持可能な構造であることを特徴とする、請求項１に記載の折込み保持パーツ付き包装袋。
【請求項３】
前記プラスチックパーツは、厚さが１ｍｍ以上１０ｍｍ以下であることを特徴とする、請求項１または請求項２に記載の折込み保持パーツ付き包装袋。
【請求項４】
前記包装袋は、プラスチックフィルムを基材とし、少なくともシーラント層を有する積層体からなり、シーラント層同士を対向させて上部、胴部、底部の周縁部をシールして製袋したものであることを特徴とする、請求項１〜請求項３のいずれかに記載の折込み保持パーツ付き包装袋。
【請求項５】
前記包装袋の底部は、底テープを有して拡張可能にシールされ、内容物が収納されている際には包装袋が自立可能であることを特徴とする、請求項１〜請求項４のいずれかに記載の折込み保持パーツ付き包装袋。
【発明の詳細な説明】
【技術分野】
【０００１】
本発明は、包装袋に関するものである。特に包装袋に収納された内容物の一部を取り出した後、開封した部分を折り込んで簡易的に再封することが容易に可能で、かつ利便性に優れる、折込み保持パーツ付き包装袋に関するものである。
【背景技術】
【０００２】
包装材料には様々な種類、形態、材料組成があって、それぞれの内容物によって求められる機能や、商品の用途や目的によって、使い分けられている。中でも包装袋は、その材料は紙やプラスチックフィルムなどの単体、あるいは積層体からなり、比較的安価であることや、可撓性を有して、省スペース、省資源であるなどの特徴を生かして、様々に商品化されており、人々の生活にとって不可欠の存在となっている。
【０００３】
一方で、例えばビンや缶といった包装材料においては、蓋をつけることによって、内容物の一部を取り出した後に、蓋を閉めて再封することが容易に可能であって、使用する都度の開閉が可能であるために、そのような内容物を小出しにする用途において利便性に優れる。
【０００４】
包装袋においても、蓋やキャップを取り付けて、繰り返しの開閉を可能にして内容物の小出しに対応することは可能であるが、蓋やキャップは別部材を取り付けることになり、包装袋の特徴のひとつである、安価であることを損ねることになりかねない。
【０００５】
この点に関して特許文献１には、端部を切り裂いて開口部を設けた包装袋を、開口部を２回以上折り曲げて簡易的に開口部を閉じて、包装袋胴部に設けた粘着部分に貼り付けて繰り返しの開封を可能にすることのできる包装袋が提案されている。
【０００６】
しかしながら粘着材の取り扱いが剥離紙を剥がすなど煩雑であり、安定して十分な密着性、すなわち再封性が得られるとは限らず、その上一旦剥離紙を剥がした後は、粘着材部分にごみや異物が付着するおそれがあるなど、実用の場面において不便な面も多くみられた。
【先行技術文献】
【特許文献】
【０００７】
【特許文献１】実開平６−６５２４１号公報
【発明の概要】
【発明が解決しようとする課題】
【０００８】
本発明はかかる状況に鑑みてなされたものであり、包装袋において、開封後の簡易的な再封、開封を容易かつ安定的に、また繰り返し行うことが可能な、折込み保持パーツ付き包装袋を安価に提供することを課題とする。
【課題を解決するための手段】
【０００９】
上記の課題を解決するための手段として、請求項１に記載の発明は、
包装袋において、
包装袋は、上部、胴部、底部、から構成され、
上部は、包装袋を開封して開口部を設けることができ、
胴部表面には、開口部を折り込んで挟み込み、及び保持可能な、プラスチックパーツを有していることを特徴とする、折込み保持パーツ付き包装袋である。
【００１０】
また、請求項２に記載の発明は、
前記包装袋の開口部の折込みの挟み込み、及び保持は、プラスチックパーツの一部と、包装袋胴部の間で挟み込んで保持可能な構造であることを特徴とする、請求項１に記載の折込み保持パーツ付き包装袋である。
【００１１】
また、請求項３に記載の発明は、
前記プラスチックパーツは、厚さが１ｍｍ以上１０ｍｍ以下であることを特徴とする、請求項１または請求項２に記載の折込み保持パーツ付き包装袋である。
【００１２】
また、請求項４に記載の発明は、
前記包装袋は、プラスチックフィルムを基材とし、少なくともシーラント層を有する積層体からなり、シーラント層同士を対向させて上部、胴部、底部の周縁部をシールして製袋したものであることを特徴とする、請求項１〜請求項３のいずれかに記載の折込み保持パーツ付き包装袋である。
【００１３】
また、請求項５に記載の発明は、
前記包装袋の底部は、底テープを有して拡張可能にシールされ、内容物が収納されている際には包装袋が自立可能であることを特徴とする、請求項１〜請求項４のいずれかに記載の折込み保持パーツ付き包装袋である。
【発明の効果】
【００１４】
本発明によれば、包装袋において、開封後の簡易的な再封、開封を容易かつ安定的に、また繰り返し行うことが可能な、折込み保持パーツ付き包装袋を安価に提供することが可能である。
【００１５】
特に請求項２に記載の発明によれば、包装袋の開口部の折込みの挟み込み、保持は、プラスチックパーツの一部と、包装袋胴部の間で挟み込んで保持可能な構造であることによって、より容易に再封の作業を行なうことができる包装袋とすることができる。
【００１６】
また特に請求項３に記載の発明によれば、プラスチックパーツは、厚さが１ｍｍ以上１０ｍｍ以下であることによって、十分な強度を有しつつ、嵩張らず、省スペースに優れる包装袋とすることができる。
【００１７】
また特に請求項４に記載の発明によれば、包装袋は、プラスチックフィルムを基材とし、少なくともシーラント層を有する積層体からなり、シーラント層同士を対向させて上部、胴部、底部の周縁部をシールして製袋したものであることによって、内容物が液体である場合にも適性を有する包装袋とすることができる。
【００１８】
また特に請求項５に記載の発明によれば、包装袋の底部は、底テープを有して拡張可能にシールされ、内容物が収納されている際には包装袋が自立可能であることによって、包装袋が簡易的に再封された状態において、内容物が例えば液体や流動性を有するものである場合には、包装袋外部への流出などの危険を防止することに効果的である。
【図面の簡単な説明】
【００１９】
【図１】図１は本発明に係る包装袋の、一実施態様を説明するための平面、一部斜視模式図である。
【図２】図２は本発明に係る包装袋の、一実施態様において、開封して内容物の取出しが可能になった状態を説明するための平面、一部斜視模式図である。
【図３】図３は本発明に係る包装袋の、一実施態様において、開封後の簡易的な再封前の状態を説明するための、斜視模式図である。
【図４】図４は本発明に係る包装袋の、一実施態様において、開封後簡易的に再封された状態を説明するための平面、一部斜視模式図である。
【図５】図５は本発明に係る包装袋の、一実施態様において、開封後の簡易的な再封のうち、折込みを２箇所とした状態を説明するための平面、一部斜視模式図である。
【発明を実施するための形態】
【００２０】
以下、本発明を図１〜図５を参照しながら、更に詳しい説明を加える。ただし本発明は、ここに示す例にのみ限定されるものではない。本発明は、請求項によって限定されるものである。
【００２１】
図１は本発明に係る包装袋の、一実施態様を説明するための平面、一部斜視模式図である。
【００２２】
本発明は、折込み保持パーツ付き包装袋（１００）に関するものであって、折込み保持パーツ付き包装袋（１００）は、上部（１１）、胴部（１２）、底部（１３）、から構成される。また折込み保持パーツはプラスチックパーツ（４）からなり、包装袋胴部に取り付けられている。
【００２３】
図１に示す例において、包装袋は、プラスチックフィルムを基材とし、少なくともシーラント層を有する積層体からなり、シーラント層同士を対向させて上部（１１）、胴部（１２）、底部（１３）の周縁部をシール部（１）をシールして密封して製袋した例である。このような構成である場合には、内容物が液体である場合にも適性を有する包装袋とすることができる。
【００２４】
また、プラスチックフィルム以外の材料も包装袋として使用可能であり、プラスチックフィルムや紙、あるいはその積層体、また金属箔やガスバリアフィルムなどとの積層体、などその材料構成は特段の制限を加えるものではなく任意である。
【００２５】
また図１に示す例のように、底部（１３）において、表側胴部（２）と後ろ側胴部の間に底テープ（９）を設けて拡張可能にシールして、内容物が収納されている際には包装袋を自立可能とすることができる。
【００２６】
上部（１１）は、包装袋を開封して内容物を取り出すための開口部を設けることができる。開封は例えば図１に示す例のように開封予定線（３）を設けてそれに沿って行なうことができる。
【００２７】
開封予定線（３）は、たとえば手指で容易に切り裂くことが可能な、易開封機構とすることも可能であり、易開封機構には、ミシン目加工、ハーフカット加工を設けたり、プラスチックフィルムの分子配向性を利用するなどすることができる。さらに端部に切込みなどを設けて、易開封のきっかけとすることも可能である。
【００２８】
あるいは、はさみやカッターナイフなどの刃物を用いて開封予定線（３）に沿って上部（１１）を切り裂いて、開口部を形成するのでも構わない。
【００２９】
胴部（１２）表面には、開封によって形成される開口部を折り込んで挟み込み、保持可能な、プラスチックパーツ（４）を有している。図１に示す例は、表側胴部（２）に設けてある例である。
【００３０】
プラスチックパーツ（４）と表側胴部（２）との接着については、特段の限定を設ける
ものではなく、例えば接着剤を用いる方法や、熱溶融によって接着させるなどの方法を用いることができる。
【００３１】
プラスチックパーツ（４）は、開封によって形成される開口部を折り込んで挟み込み、保持可能な限りにおいて、その形状は任意であって、特段の限定を加えるものではない。例えば図１に示す例において、プラスチックパーツ（４）は包装袋上方に向かって３本の歯を有する櫛形の外観を有している。
【００３２】
図１に示す例において、３本の櫛の歯のうち、中央の１本は挟み込み部（５）であって、この挟み込み部（５）では、プラスチックパーツ（４）は、包装袋の前側胴部（２）には接着されておらず、開口部を折り込んで簡易的な再封を行なおうとする際には、その折込み部分をプラスチックパーツ（４）と表側胴部（２）表面との間隙に挟み込んで、保持することが可能である。
このプラスチックパーツ（４）による挟み込みと保持には、プラスチック材料の有する剛性と弾性が効果的に寄与する。したがってプラスチック材料の材質は、この点と価格などを考慮して任意に選択することができる。たとえばポリスチレン樹脂やポリエチレンテレフタレート樹脂等を用いた成形品とすることも可能である。
【００３３】
前述の例に限らず、プラスチックパーツ（４）自体に、開口部の折込みを挟み込んで、保持する機能を持たせることも可能である。この場合にはプラスチックパーツ（４）は、包装袋胴部との接触面全てを接着面とすることができる。
【００３４】
また本発明において、プラスチックパーツ（４）は、厚さが１ｍｍ以上１０ｍｍ以下とすることができ、この場合には、包装袋としての嵩張り、また部材としての強度やコストの点でより望ましい範囲である。
【００３５】
図２は本発明に係る包装袋の、一実施態様において、開封して内容物の取出しが可能になった状態を説明するための平面、一部斜視模式図である。
【００３６】
図２に示す例において、本発明による折込み保持パーツ付き包装袋（１００）は開封線（３）にそって切り裂かれており、切り取り部（１０）は、包装袋から分離された状態であって、内容物取り出しのための開口部（６）が形成されている。
【００３７】
図３は本発明に係る包装袋の、一実施態様において、開封後の簡易的な再封前の状態を説明するための、斜視模式図である。
【００３８】
本発明による包装袋の、開封後の簡易的な再封のために、開口部（６）は閉じられ、胴部に折込み線（７）を作って、開口部（６）は図中矢印の方向に折り曲げられ、プラスチックパーツ（４）の挟み込み部（５）に挟み込まれて保持される。
【００３９】
図３に示す例においては、挟み込みは、プラスチックパーツ（４）の挟み込み部（５）と、前側胴部（２）との間で行われる。この場合には開口部（６）が直接、挟み込み部（５）に差し込まれて簡易的な再封がなされる。
【００４０】
図４は本発明に係る包装袋の、一実施態様において、開封後簡易的に再封された状態を説明するための平面、一部斜視模式図である。
【００４１】
図４に示す例において、折込み保持パーツ付き包装袋（１００）は、前述のように、開封後の簡易的な再封のために、開口部（６）は閉じられ、胴部に折込み線（７）を作って、開口部（６）は図中矢印の方向に折り曲げられ、さらにプラスチックパーツ（４）の挟み込み部（５）に挟み込まれて保持された状態である。このとき、表側胴部（２）同士が対向して重ねあわせられている。
【００４２】
なお、折込み線（７）は、開口部（６）を図中矢印の方向に誘導してプラスチックパーツ（４）の挟み込み部（５）に挟み込んだ後に、手指でしごいたり、押さえつけるなどして形成するのでもよい。
【００４３】
このプラスチックパーツ（４）による挟み込みは、図中矢印で示すように、開口部（６）を挟み込み部（５）に差し入れるだけで行なうことができるため、極めて容易な作業である。
【００４４】
たとえば、包装袋を開封して、内容物の一部を取り出して後、簡易的な再封を行なうに際して、片手のみを用いて行なうことも可能である。
【００４５】
また図４に示す例においては、折込み保持パーツ付き包装袋（１００）は、底部（１３）には、底テープ（９）を有しており、内容物が収納されている際には、底テープが拡張して底面を形成し、包装袋が自立可能である。
【００４６】
すなわち、包装袋が自立可能であることは、開口部は常に包装袋の上の部分にあるために、包装袋が開封された後、簡易的に再封された状態において、内容物が例えば液体や流動性を有するものである場合にも、包装袋外部への流出などのおそれをなくすことができ、より好ましい。
【００４７】
図５は本発明に係る包装袋の、一実施態様において、開封後の簡易的な再封のうち、折込みを２箇所とした状態を説明するための平面、一部斜視模式図である
本発明は、胴部表面には、開口部を折り込んで挟み込み、保持可能な、プラスチックパーツを有していることを特徴のひとつとするが、開口部（６）の折込みに関しては、図４で示すように１箇所であってもよく、あるいは複数個所でもよい。図５に示す例においては折込み線（７）、および二本目の折込み線（８）の２箇所に設けた例である。
【００４８】
この場合においても、包装袋の簡易的な再封は、折り込んだ開口部（６）をプラスチックパーツ（４）の挟み込み部（５）に差し入れるだけで行なうことができるため、極めて容易な作業である。
【００４９】
このように、折込み線（７）および二本目の折込み線（８）によって、開口部（６）に始まる胴部を巻き込むように重ねることによって、たとえば、内容物の減少に伴って包装袋を、段階的により小さな形で再封することができ、省スペースに優れるなどの利便性が得られるうえ、再封した包装袋の高さ（Ｈ）によって、内容物のおおよその残量を見積もることができる。
【００５０】
このようにして本発明によれば、包装袋において、開封後の簡易的な再封、開封を容易かつ安定的に、また繰り返し行うことが可能な、折込み保持パーツ付き包装袋を安価に提供することが可能である。
【符号の説明】
【００５１】
１・・・シール部
２・・・表側胴部
３・・・開封予定線
４・・・プラスチックパーツ
５・・・挟み込み部
６・・・開口部
７・・・折込み線
８・・・二本目の折込み線
９・・・底テープ
１０・・・切り取り部
１１・・・上部
１２・・・胴部
１３・・・底部
１００・・・折込み保持パーツ付き包装袋
Ｈ・・・再封した包装袋の高さ
【図１】
2020045139.tif 000003
【図２】
2020045139.tif 000004
【図３】
2020045139.tif 000005
【図４】
2020045139.tif 000006
【図５】
2020045139.tif 000007